(57)【要約】【課題】脚の大きさに応じて突起部材の位置を変え、突起部材に弾性を持たす。【解決手段】床材に土踏まずと、足指の付け根に対応して、人の体重が加わると変形する程度の弾性を持った半円形の突起部材を配設している。当該２本の突起部材の裏側に締着材を貼り付けておき、床材上に貼り付けた締着受け材との間で前記突起部材を床材に着脱自在とする。床材上には前記締着材に対応しかつ所定幅の余裕を持って締着受け材を貼り付け、前記２本の突起部材を着脱自在とした。前記２本の突起部材は人の体重程度で変形する程度の弾性をもっているので、人が乗ることによって、土踏まずと足指の付け根を適度に押し上げて強い刺激を与えることになる。【選択図】図１
2018143552.tif 000002
【特許請求の範囲】
【請求項１】
床材と、
床材に土踏まずと足指の付け根に対応して配置された、人の体重が加わると変形する程度の弾性を持った半円形の突起部材と、
前記床材上に貼り付けた締着受け材と、
前記締着受け材との間で前記突起部材を床材に着脱自在とする前記突起部材の裏側に貼り付けられた締着材と
を備えたことを特徴とする脚踏み健康器具。
【請求項２】
足指の付け根に対応して配置された突起部材が、足の付け根の傾斜に合わせた角度を持って床材に締着できる左右の突起部材よりなる請求項１に記載の脚踏み健康器具。
【発明の詳細な説明】
【技術分野】
【０００１】
本発明は健康器具に関し、特に足踏み健康器具に関するものである。
【背景技術】
【０００２】
足踏み健康器具は、床面に半円形の竹等を置き、その上に人が乗って足の土踏まずの部分にあて、足踏みすることによって、健康を保つとするものである。
【０００３】
この種健康器具には、単純に半円形の竹等を利用すること、特開２０１０−１０４６６６号公報に開示するように足裏の土踏まずの部分のみを刺激する構成、特開２００７−６８９２６号公報に開示するように、土踏まずを刺激するのであるが、表面に多数の突起を埋め込んだ半円形の部材を利用し、その効果をあげようとする構成等が挙げられる。また、足指部の付け根にもツボがあることから、前記土踏まずの部分に加えて、足指の付け根部に突起を設けた構成もある。
【先行技術文献】
【特許文献】
【０００４】
【特許文献１】特開２０１０−１０４６６６号公報
【特許文献２】特開２００７−６８９２６号公報
【発明の概要】
【発明が解決しようとする課題】
【０００５】
上記従来の構成によると、いずれも硬質の材料を用いた突起で土踏ます等にツボ部を刺激する構成となっている。従って、個々に異なる足型にフィットしているとは言いがたく、効果も期待する程ではなかった。更に、大きさの異なる個々人の足に対応することもできなかった。
【０００６】
本発明は上記従来の事情に鑑みて提案されたものであって、個々の足裏の形状にフィィットし、また大きさが異なっても対応できる足踏み健康器具を提供するものである。
【課題を解決するための手段】
【０００７】
本発明の足踏み健康器具は、以下の床材、突起部材、締着材、締着受け材よりなる。
【０００８】
床材に土踏まずと、足指の付け根に対応して、人の体重が加わると変形する程度の弾性を持った半円形の突起部材を配設している。当該２本の突起部材の裏側に締着材を貼り付けておき、床材上に貼り付けた締着受け材との間で前記突起部材を床材に着脱自在とする。床材上には前記締着材に対応しかつ所定幅の余裕を持って締着受け材を貼り付け、前記２本の突起部材を着脱自在とした。
【発明の効果】
【０００９】
２本に突起部材は、それぞれ土踏まずの部分と、足指の付け根の部分に対応し、人の体重程度で変形する程度の弾性をもっているので、人が乗ることによって、土踏まずと足指の付け根を適度に押し上げて強い刺激を与えることになる。また、それぞれの突起部材の裏側に貼り付けた締着材と、床材側に貼り付けた締着受け材とでそれぞれの突起部材が床材に対して着脱自在となっているので、個々人の足の大きさに対応して位置を変えることができる。
【図面の簡単な説明】
【００１０】
【図１】本発明の全体斜視図。
【図２】図１のA-A断面図。
【図３】突起部の拡大図。
【図４】使用状態を示す図。
【図５】本発明の別の実施例の分解斜視図を示す図。
【発明を実施するための形態】
【００１１】
図１は本発明の斜視図であり、図２は図１のA-A断面図である。
【００１２】
人の２本の足を揃えた状態よりやや大きい床材１０上の、前記人の足裏の土踏まずの位置に突起部材１１が、また足指（特に親指、人差し指）の付け根の位置に突起部材１２が配置される。当該突起部材１１、１２は半円柱形で、曲面を上にして配置され、人の体重で変形はするが、体重から開放されると元の形状に戻る程度の弾性を持っている。
【００１３】
当該突起部材１１、１２の下面に締着材２１、２２、（たとえばマジックファスナ）が貼り付けられる。また、床材１０の上面に、前記締着材２１、２２に対応して、締着受け材３１、３２（マジックファスナの受け側）が貼り付けられる。この、締着受け材３１、３２の幅は、前記締着材２１、２２の幅より大きくなっており、突起部材１１、１２の前後の移動を許容できるようになっている。従って、足の大きさに合わせて突起部材１１、１２の位置を移動できることになる。
【００１４】
前記突起部材１１、１２の上側にはカバー３０が被せられる。このカバー３０は薄い布、あるいは合成樹脂性のシートであれば特に限定されることはないが、ここでは、靴踏みマットのように、突起が多数形成された状態のシートが使用されている。
【００１５】
以上のような構成の足踏み健康器具に実際に足を乗せると、図４に示すように、突起部材１１、１２は身体の重みで少し歪んだ状態にはなるが、土踏まず、足指の付け根を強い反発力で押し上げることになり、それだけ刺激が大きくなる。また、各突起部材１１、１２はマジックファスナで床材１０の上に締着されているので、足の大きさに合わせて自由に位置を変えることができる。更に、カバー３０として多数の突起が設けられたゴム材を使用することで、より刺激を強くすることができることになる。
【００１６】
図５は本発明の別の実施例を示す分解斜視図である。
【００１７】
本発明の特徴として、前後の突起部材１１、１２の位置を締着材と締着受け材で着脱できるようにした点にある。上記着脱可能な点は、突起部材１１、１２の位置だけでなく角度も変えることができる。すなわち、足指の付け根は小指から親指に向かって傾斜しており、この傾斜角は個人差がある。図５は床材１０上の土踏まずに対応する位置に突起部１１を設けるとともに、足指の付け根対応の突起部１２を左右に分けて突起部１２ａ、１２ｂとし、足に大きさと、足指の付け根部の角度に合わせて着脱自在に配置している。
【００１８】
これによって、足の大きさだけでなく、指の付け根の角度にも合わせて突起部を設定することができることになる。
【００１９】
上記の説明では左右の足に共通の床板１０を使用しているが、左右に分けた床板を使用することももちろん可能であり、その場合、突起部１０、１１、カバー３０とも左右に分ける必要があることはもちろんである。
【産業上の利用可能性】
【００２０】
以上説明したように本発明は、土踏ます、足指の付け根に当たる突起部材が弾性を持っているので、その上に乗ったとき、体重で変形して足の形にフィットすることになり、しかも上記の弾性で、足裏を強く刺激することになる。また、突起部材の位置を足の大きさに合わせて変えることができるので、極めて効果が大きい。
【符号の説明】
【００２１】
１０・・床材
１１、１２・・突起部材
２１、２２・・締着材
３０・・カバー
３１、３２・・締着受け材
【図１】
2018143552.tif 000003
【図２】
2018143552.tif 000004
【図３】
2018143552.tif 000005
【図４】
2018143552.tif 000006
【図５】
2018143552.tif 000007